(57)【要約】【課題】Ｘ線曝射が長時間にわたるときでも術者が安心して曝射を続けることができると共に、患者にとっても曝射終了を容易に予想することができる乳房撮影検査用Ｘ線診断装置を提供することである。【解決手段】乳房撮影検査用Ｘ線診断装置１０は、被検体に対してＸ線を曝射するＸ線管１１と、Ｘ線管１１より発生されたＸ線を検出するＸ線検出器１７とを備えたアーム部１９と、該アーム部を回動可能に支持する支持部２１と、Ｘ線管１１の操作を行う操作装置３０とを備えた乳房撮影検査用Ｘ線診断装置に於いて、操作装置３０に備えられ、被検体の乳房の圧迫厚に起因するＸ線条件に基づいて決まるＸ線の曝射残り期間を表示する表示器３５ａを具備する。【選択図】図１
2013066784.tif 000002
【特許請求の範囲】
【請求項１】
被検体に対してＸ線を曝射するＸ線発生手段と、該Ｘ線発生手段より発生されたＸ線を検出する検出手段とを備えたアーム部と、該アーム部を回動可能に支持する支持部と、前記Ｘ線発生手段の操作を行う操作装置と、を備えた乳房撮影検査用Ｘ線診断装置に於いて、
前記操作装置に備えられ、前記被検体の乳房の圧迫厚に起因するＸ線条件に基づいて決まるＸ線の曝射残り期間を表示する表示手段を具備することを特徴とする乳房撮影検査用Ｘ線診断装置。
【請求項２】
前記表示手段は、前記Ｘ線発生手段による前記Ｘ線の曝射残り期間の表示を、目標曝射期間に対しての進行状況として表示することを特徴とする請求項１に記載の乳房撮影検査用Ｘ線診断装置。
【請求項３】
前記表示手段は、前記Ｘ線発生手段による前記Ｘ線の曝射残り期間の表示を、目標曝射量に対しての進行状況として表示することを特徴とする請求項１に記載の乳房撮影検査用Ｘ線診断装置。
【請求項４】
前記表示手段は、前記操作装置とともに前記アーム部にも設けられていることを特徴とする請求項２若しくは３に記載の乳房撮影検査用Ｘ線診断装置。
【請求項５】
前記表示手段は、前記操作装置とともに前記支持部にも設けられていることを特徴とする請求項２若しくは３に記載の乳房撮影検査用Ｘ線診断装置。
【請求項６】
被検体に対してＸ線を曝射するＸ線発生手段と、該Ｘ線発生手段を前記被検体の周囲に移動させて前記Ｘ線発生手段より発生されたＸ線を検出する検出手段とを備えたアーム部と、該アーム部を回動可能に支持する支持部と、前記Ｘ線発生手段の操作を行う操作装置と、を備えた乳房撮影検査用Ｘ線診断装置に於いて、
前記操作装置に備えられ、前記被検体の乳房の圧迫厚に起因するＸ線条件に基づいて決まるＸ線の曝射残り期間を表示する表示手段を具備することを特徴とする乳房撮影検査用Ｘ線診断装置。
【請求項７】
前記表示手段は、前記Ｘ線発生手段による前記Ｘ線の曝射残り期間の表示を、目標曝射期間に対しての進行状況として表示することを特徴とする請求項６に記載の乳房撮影検査用Ｘ線診断装置。
【請求項８】
前記表示手段は、前記Ｘ線発生手段による前記Ｘ線の曝射残り期間の表示を、目標曝射量に対しての進行状況として表示することを特徴とする請求項６に記載の乳房撮影検査用Ｘ線診断装置。
【請求項９】
前記表示手段は、前記操作装置とともに前記アーム部にも設けられていることを特徴とする請求項７若しくは８に記載の乳房撮影検査用Ｘ線診断装置。
【請求項１０】
前記表示手段は、前記操作装置とともに前記支持部にも設けられていることを特徴とする請求項７若しくは８に記載の乳房撮影検査用Ｘ線診断装置。
【請求項１１】
前記表示手段は、前記Ｘ線発生手段を移動させて撮影する撮影期間全体に対する曝射期間を表示する第１の表示と、前記Ｘ線発生手段を固定又は移動しながら撮影する個別の撮影期間に対する曝射期間を表示する第２の表示を行うことを特徴とする請求項６に記載の乳房撮影検査用Ｘ線診断装置。
【請求項１２】
前記表示手段は、前記第２の表示を、目標曝射期間に対しての進行状況として表示することを特徴とする請求項１１に記載の乳房撮影検査用Ｘ線診断装置。
【請求項１３】
前記表示手段は、前記第２の表示を、目標曝射量に対しての進行状況として表示することを特徴とする請求項１１に記載の乳房撮影検査用Ｘ線診断装置。
【発明の詳細な説明】
【技術分野】
【０００１】
本発明は、例えば乳房等の被検体に於ける投影像データを取得する乳房撮影検査用Ｘ線診断装置に関するものである。
【背景技術】
【０００２】
乳房撮影装置は、本体にＸ線管保持部が支持されており、このＸ線管保持部内に乳房である被検体Ｘ線を照射するＸ線管が内蔵されている。そして、撮影台上に、上記被検体が載置され、該撮影台の上方に設けられた圧迫板により、被検体の厚さを薄く均一にするようにして撮影が行われるようになっている（例えば、下記特許文献１参照）。
【特許文献１】特許第２５００８９５号公報
【発明の開示】
【発明が解決しようとする課題】
【０００３】
ところで、前述した乳房撮影装置では、乳房が厚い場合、数秒間Ｘ線を曝射する場合がある。Ｘ線曝射時間は、装置が最適な照射量を決定する自動露光制御により決定されるが、決定された曝射時間を術者が前もって知ることができない。そのため、曝射時間が長いと、術者は装置が異常な動作をしているという疑いを持ち、曝射完了前にＸ線の曝射を停止してしまうことがあった。曝射完了前にＸ線の曝射を停止してしまうと、装置が決定した最適Ｘ線量が照射されないため、得られる画像は診断には不十分となる場合があった。  また、乳房撮影装置では、前述したように、Ｘ線曝射は乳房を圧迫して行い、Ｘ線曝射の終了直後に乳房の圧迫を解除する。圧迫中は、患者（被検体）はかなり苦痛を感じるが、撮影中は正確な画像を得るために動かないようにしている。したがって、Ｘ線の曝射がいつ終わるかを知ることは、患者にとって必要な情報である。しかしながら、従来の装置では、この曝射時間を知ることはできないものであった。
【０００４】
加えて、近年行われているデジタルトモシンセシスでは、乳房の圧迫期間が更に長くなるため、患者にとっては圧迫が解除されるタイミングを知ることは、更に重要なものとなる。しかしながら、こうしたデジタルトモシンセシスでも、従来の装置では知ることができないものであった。
【０００５】
したがって本発明の目的は、Ｘ線曝射が長時間にわたるときでも術者が安心して曝射を続けることができると共に、患者にとっても曝射終了を容易に予想することができる乳房撮影検査用Ｘ線診断装置を提供することにある。
【課題を解決するための手段】
【０００６】
すなわち本発明は、被検体に対してＸ線を曝射して撮影するＸ線発生手段と、該Ｘ線発生手段より発生されたＸ線を前記被検体を透過して検出する検出手段とを備えたアーム部と、該アーム部を回動可能に支持する支持体と、前記Ｘ線発生手段の操作を行う操作装置と、を備えた乳房撮影検査用Ｘ線診断装置に於いて、前記Ｘ線発生手段によるＸ線の曝射期間を表示する表示手段を具備することを特徴とする。
【０００７】
また本発明は、被検体に対してＸ線を曝射して撮影するＸ線発生手段と、該Ｘ線発生手段を前記被検体の周囲に移動させて前記Ｘ線発生手段より発生されたＸ線を前記被検体を透過して検出する検出手段とを備えたアーム部と、該アーム部を回動可能に支持する支持体と、前記Ｘ線発生手段の操作を行う操作装置と、を備えた乳房撮影検査用Ｘ線診断装置に於いて、前記Ｘ線発生手段によるＸ線の曝射期間を表示する表示手段を具備することを特徴とする。
【発明の効果】
【０００８】
本発明によれば、Ｘ線の曝射の進行状況を目標期間（目標線量）に対して視覚的に表示するようにしたので、Ｘ線曝射が長時間にわたるときでも術者が安心して曝射を続けることができると共に、患者にとっても曝射終了を容易に予想することができるため、苦痛を和らげて体を静止させることができる。
【発明を実施するための最良の形態】
【０００９】
以下、図面を参照して、本発明の実施形態について説明する。
【００１０】
（第１の実施形態）
図１は、本発明の第１の実施形態に係る乳房撮影検査用Ｘ線診断装置の外観構成を示す斜視図である。
【００１１】
図１に於いて、この乳房撮影検査用Ｘ線診断装置１０は、乳房撮影検査用装置本体２０と、操作装置３０とより構成される。そして、乳房撮影検査用装置本体２０は、Ｘ線管１１、線質調整フィルタ及び照射制限マスク１２、フェイスガード１３、乳房圧迫板１４、移動グリッド１６、Ｘ線検出器１７、Ｃアーム上下動／回転微調整スイッチ１８を有したアーム部１９と、支持部２２、情報表示パネル２３、サイドパネル２４、圧迫フットペダル２５を有したスタンド部２１とより構成される。
【００１２】
Ｘ線管１１は、患者の乳房に対してＸ線を曝射するもので、前記線質調整フィルタ及び照射制限マスク１２を介して適切なＸ線が曝謝される。これらＸ線管１１及び線質調整フィルタ及び照射制限マスク１２は、アーム部１９内に設けられている。フェイスガード１３は、図２（ｂ）に示されるように、被検体Ｐの顔の部分にＸ線が曝謝されないように顔を保護するために設けられている。
【００１３】
乳房圧迫板１４は、撮像時に被検体Ｐの乳房を移動グリッド１６上に圧迫するのに用いられる。Ｘ線検出器１７は、Ｘ線管１１から曝射されて患者の乳房を透過したＸ線を検出するためのものである。Ｃアーム上下動／回転微調整スイッチ１８は、アーム部１９の上下動や回転方向を微調整するためのスイッチである。
【００１４】
そして、このような構成のアーム部１９は、その裏面側に設けられた支持部２２を介して、スタンド部２１内に回動可能に支持されている。
【００１５】
情報表示パネル２３は、撮影条件設定パネル３２によって入力された情報等を表示するための表示手段であり、サイドパネル２４は情報入力のために設けられている。また、圧迫フットペダル２５は、被検体Ｐが前記乳房圧迫板１４を上下動させるためのスイッチである。
【００１６】
一方、操作装置３０は、Ｘ線管１１よりＸ線を曝謝するための駆動部であるインバータ式Ｘ線高電圧装置３１と、診断に際して撮影条件等を入力するための撮影条件設定パネル３２と、を有して構成される。
【００１７】
また、アーム部１９の線質調整フィルタ及び照射制限マスク１２の近傍、スタンド部２１の上部、操作装置３０の上部には、詳細を後述するＸ線曝射期間を表示するための表示器３５ａ、３５ｂ、３５ｃが設けられる。但し、これらの表示器３５ａ、３５ｂ、３５ｃは、全て設けられている必要はなく、少なくとも何れか１つ設けられていれば良い。例えば、図２（ａ）に示されるようにスタンド部２１に設けられている表示器３５ｂや、図２（ｂ）に示されるようにアーム部１９に設けられている表示器３５ｃの場合は、操作装置３０の表示器３５ａよりも、被検体Ｐにとって容易に視認可能な位置である。
【００１８】
図３は、本実施形態に係る乳房撮影検査用Ｘ線診断装置１０の電気系の主要部の構成を示すブロック図である。
【００１９】
図３に於いて、システム制御部４１は、この乳房撮影検査用Ｘ線診断装置１０の全体の制御動作を司るものである。このシステム制御部４１には、Ｘ線制御部４２を介してＸ線管１１と、Ｘ線検出器１７と、表示器３５（表示器３５ａ、３５ｂ、３５ｃ）と、画像処理部４３と、比較器４８と、報知部４９と、操作部５０とが接続されており、それぞれの動作処理が行われる。また、このシステム制御４１内には、後述するフォトセンサ４５を使用する際にカウントするフォトタイマ４１ａを有している。
【００２０】
前記Ｘ線管１１は、システム制御部４１からＸ線制御部４２を介して、Ｘ線曝射の動作制御が行われる。乳房圧迫板１４は、乳房である被検体Ｐの厚さを薄く均一にするために被検体Ｐを圧迫する。Ｘ線検出器１７は、Ｘ線管１１から被検体ＰにＸ線を曝射したときのＸ線の信号を検出し、この検出された信号を画像処理部４３に出力する。画像処理部４３では、Ｘ線検出器１７の出力した未処理の影像データを取得して、被検体Ｐの画像処理後の影像データを生成する。これら影像データは、システム制御部４１によって図示されないメモリに記憶される。このメモリに記憶された影像データに対応する画像が、図示されない表示部２３に表示される。
【００２１】
表示器３５は、図１に示される表示器３５ａ、３５ｂ、３５ｃに対応するもので、全体の期間に対して現在の状態がどれくらいの期間が経過しているかを表すための表示が為されるものであればよい。或いは、表示器３５と同様の機能を有する報知部４９を有しても良い。この報知部４９とは、例えば全体の期間に対する残り時間を発音（例えば、音声）により報知するもの等であっても良い。
【００２２】
操作部５０は、前述した撮影条件設定パネル３２、サイドパネル２４に対応するもので、各種時用件の設定や動作を行うための入力部を有している。また、図１には示されないが、この操作部５０には、被検体ＰにＸ線管１１よりＸ線を曝射するための操作を行うＸ線曝射釦５１が接続されている。更に、前記操作部５０は、後述するように、通常モード撮影とトモシンセシスモード撮影とを切り替える等の切り替え手段としての操作や、トモシンセシスモード撮影の際にＸ線管１１を移動させるための入力等の操作を行うためのものである。
【００２３】
また、Ｘ線検出器１７の近傍には、フォトタイマ４１ａを使用する場合に、Ｘ線曝射中の信号を積分器４６で積分するためにＸ線を検出するためのフォトセンサ４５が配設されている。メモリ４７は、フォトタイマ４１ａを使用する際に比較される所定値を記憶しているもので、この値は予め定められているものである。そして、このメモリ４７に記憶されている所定値と積分器４６との出力結果が、Ｘ線制御部４２に供給されるようになっている。
【００２４】
次に、本発明の一実施形態に於ける乳房撮影検査用Ｘ線診断装置１０の動作について説明する。
【００２５】
初めに、図４のフローチャートを参照して、Ｘ線の条件を術者が決定するマニュアル撮影を行う動作について説明する。
【００２６】
尚、以下に説明する実施形態に於いて、被検体Ｐを撮像するための処理動作は、従来よりある乳房撮影検査用Ｘ線診断装置と同様であるので、ここではその詳細な説明は省略して、Ｘ線の曝射とその表示に関して説明する。
【００２７】
本シーケンスが開始されると、先ず、ステップＳ１に於いて、術者が撮影条件設定パネル３２等を操作することより、Ｘ線曝射の条件（管電圧，ｍＡｓ）の設定がなされる。そして、ステップＳ２にてＸ線曝射釦５１が操作（押下）されると、続くステップＳ３に於いて、Ｘ線管１１の管電流が決定されると共に、Ｘ線のパルス幅がシステム制御部４１内の演算部にて算出される。ここで算出されたパルス幅がプログレスバーの１００％となる。その後、ステップＳ４に於いて、装置の準備が整ったか（ＯＫか）否かが判定される。ここで、まだ準備が整っていない場合は、前記ステップＳ１に移行して、ステップＳ１〜Ｓ４の処理動作が繰り返される。
【００２８】
一方、前記ステップＳ４にて装置の準備が整った場合は、ステップＳ５に移行して、Ｘ線管１１によるＸ線の曝射が実行される。また、このステップＳ５のＸ線曝射と同時に、ステップＳ６にて表示器３５のプログレスバーの表示がなされる。尚、ここでは代表的に表示器３５として説明するが、前述したように表示器３５ａ、３５ｂ、３５ｃの少なくとも１つであれば良く、何れか１つであっても、全ての表示器３５ａ、３５ｂ、３５ｃであっても良い。
【００２９】
このプログレスバーによる表示は、例えば、図５に示されるようになっている。
【００３０】
図５（ａ）は、曝射開始前の表示であり、前述したステップＳ５でＸ線曝射釦５１が押下されるまでは、表示器３５には何も表示されていない状態である。そして、ステップＳ５でＸ線曝射が開始されると、図５（ｂ）に示されるように、表示器３５にプログレスバーの１段目のみが表示される。
【００３１】
このプログレスバーによる表示は、例えば、図５（ｄ）に示されるように、全体の表示が表示器３５の両端に渡るものであった場合、左端部が０％、右端部が１００％を表している。そして、この１００％の値は、前述したステップＳ３で算出されたＸ線パルス幅であり、曝射時間に相当している。
【００３２】
次に、ステップＳ７に於いて、Ｘ線管１１によるＸ線の曝射時間と前記ステップＳ３で予め設定されたＸ線パルス幅とが比較される。ここで、まだ曝射時間が前記設定されたパルス幅に到達していない場合は、前記ステップＳ５に移行して、ステップＳ５〜Ｓ７の処理動作が繰り返される。このとき、表示器３５には、図５（ｃ）に示されるように、プログレスバーが表示されて、現在はＸ線の曝射中であることが表される。
【００３３】
プログレスバーの１００％の表示は、前述したように、ステップＳ３で算出されたＸ線パルス幅であることがわかっているので、現在の曝射期間が全体の曝射期間と比較されてその割合から、現在の状況がわかる。つまり、図５（ｃ）の例では、現在の曝射状態は、全体の略半分の期間（５段目）であることがわかる。
【００３４】
そして、ステップＳ５〜Ｓ７にてＸ線の曝射時間が前記設定されたパルス幅に到達するまでは、プログレスバーの表示が０％から１００％の間で経時的に変化する。つまり、曝射開始直後は図５（ｂ）に示されるように（１０％）表示され、途中の表示を経て、終了直前には図５（ｄ）に示されるように（１００％）表示される。
【００３５】
前記ステップＳ７に於いて、Ｘ線の曝射時間が前記設定されたパルス幅に到達した場合は、ステップＳ８に移行して、Ｘ線管１１によりＸ線の曝射が終了する。ここで、ステップＳ８の曝射が終了する直前には、図５（ｄ）に示されるように、プログレスバーの表示は、表示器３５の右端部まで、すなわち１００％に到達したことが表される。
【００３６】
こうしてステップＳ８で曝射が終了すると、続くステップＳ９にて表示器３５のプログレスバーの表示が、図５（ｅ）に示されるように消灯された状態となり、本シーケンスが終了する。
【００３７】
このように、最終的に曝射しようとするＸ線量から、プログレスバーの表示状態により、その期間を知ることができるので、術者は安心して操作を行うことができる。また、被検体にとっても、プログレスバーの表示によって、残り時間を予想することが容易にできるので、残り時間が不明であることによる不安感を除去して、乳房圧迫板による圧迫に苦痛を和らげることができる。
【００３８】
次に、図６のフローチャートを参照して、プレ曝射により本曝射のＸ線条件を決定する場合の例について説明する。
【００３９】
ここで、Ｘ線条件とは、例えば、Ｘ線管１１の管電圧、管電流、Ｘ線パルス幅、Ｘ線フィルタ等である。プレ曝射の結果得られた画像データから、装置で算出された本曝射のＸ線パルス幅を１００％としている。尚、プログレスバーの表示については、前述したマニュアル撮影時の表示と同じであるので説明は省略する。
【００４０】
本シーケンスが開始されると、ステップＳ１１に於いて、Ｘ線曝射釦５１が操作（押下）される。次いで、ステップＳ１２にて、被検体２０の乳房の圧迫厚から、プレ曝射Ｘ線条件（管電圧，ｍＡｓ）が決定される。そして、ステップＳ１３に於いて、Ｘ線管１１のプレ曝射管電流が決定されると共に、Ｘ線のパルス幅がシステム制御部４１内の演算部にて算出される。その後、ステップＳ１４に於いて、装置の準備が整ったか（ＯＫか）否かが判定される。ここで、まだ準備が整っていない場合は、前記ステップＳ１１に移行して、ステップＳ１１〜Ｓ１４の処理動作が繰り返される。
【００４１】
一方、前記ステップＳ１４にて装置の準備が整った場合は、ステップＳ１５に移行して、Ｘ線管１１によるＸ線のプレ曝射が実行される。すると、ステップＳ１６にて、Ｘ線検出器１７及び画像処理部４３によりプレ曝射画像が収集され、続くステップＳ１７にて、収集されたプレ曝射画像から本曝射条件が、システム制御部４１内の演算部にて算出される。これにより、ステップＳ１８にて、本曝射のＸ線条件（管電圧，ｍＡｓ）が決定される。次いで、ステップＳ１９にて、Ｘ線管１１の本曝射管電流が決定されると共に、Ｘ線のパルス幅がシステム制御部４１内の演算部にて算出される。
【００４２】
次に、ステップＳ２０に於いて、装置の準備が整ったか（ＯＫか）否かが判定される。ここで、まだ準備が整っていない場合は、前記ステップＳ１５に移行して、ステップＳ１５〜Ｓ２０の処理動作が繰り返される。一方、前記ステップＳ２０にて装置の準備が整った場合は、ステップＳ２１に移行して、Ｘ線管１１によるＸ線の本曝射が実行される。  このステップＳ２１のＸ線曝射と同時に、ステップＳ２２にて表示器３５のプログレスバーの表示がなされる。このプログレスバーの表示については、前述したマニュアル撮影の例と同じであるので、説明は省略する。
【００４３】
次に、ステップＳ２３に於いて、Ｘ線管１１によるＸ線の本曝射時間と前記ステップＳ１９で設定されたＸ線パルス幅とが比較される。ここで、まだ本曝射時間が前記設定されたパルス幅に到達していない場合は、前記ステップＳ２１に移行して、ステップＳ２１〜Ｓ２３の処理動作が繰り返される。一方、Ｘ線の本曝射時間が前記設定されたパルス幅に到達した場合は、ステップＳ２４に移行して、Ｘ線管１１によりＸ線の本曝射が終了する。そして、ステップＳ２５にて表示器３５のプログレスバーの表示が消灯されると、本シーケンスが終了する。
【００４４】
このように、プレ曝射により本曝射のＸ線条件を決定するようにしても、最終的に曝射しようとするＸ線量から、プログレスバーの表示状態によって、その期間を知ることができる。
【００４５】
次に、図７のフローチャートを参照して、プレ曝射せずに本曝射を行い、フォトタイマ４１ａにて曝射終了を制御する例について説明する。
【００４６】
本シーケンスが開始されると、先ず、ステップＳ３１に於いて、術者が撮影条件設定パネル３２等を操作することより、Ｘ線曝射の条件（管電圧）の設定がなされる。そして、ステップＳ３２にてＸ線管１１の管電流が決定されると、続くステップＳ３３でＸ線曝射釦５１が操作（押下）される。すると、ステップＳ３４に於いて、装置の準備が整ったか（ＯＫか）否かが判定される。ここで、まだ準備が整っていない場合は、前記ステップＳ３１に移行して、ステップＳ３１〜Ｓ３４の処理動作が繰り返される。
【００４７】
一方、前記ステップＳ３４にて装置の準備が整った場合は、ステップＳ３５に移行して、Ｘ線管１１によるＸ線の曝射が実行される。また、このステップＳ３５のＸ線曝射と同時に、ステップＳ３６にて表示器３５のプログレスバーの表示がなされる。
【００４８】
ここで、図５（ａ）〜（ｅ）に示されるプログレスバーの表示は、前述したマニュアル撮影、プレ曝射を利用する例では曝射期間に相当するものであったが、このフォトタイマ４１ａを利用する例では、Ｘ線の積算量に相当している。したがって、プログレスバーの表示そのものは前述した例と同じであるが、現在の状態がＸ線積算量の何割に相当するかを表している点が異なっている。
【００４９】
ステップＳ３７に於いて、Ｘ線管１１によるＸ線の曝射中の信号がフォトセンサ４５で検出され、この検出された信号が積分器４６で積分された積算Ｘ線量と、メモリ４７に予め記憶された所定値（目標値）とが、比較器４８によって比較される。ここで、まだ積算Ｘ線量が前記目標値に到達していない場合は、前記ステップＳ３５に移行して、ステップＳ３５〜Ｓ３７の処理動作が繰り返される。
【００５０】
一方、前記ステップＳ３７に於いて、積算Ｘ線量が前記目標値に到達した場合は、ステップＳ３８に移行して、Ｘ線管１１によりＸ線の曝射が終了する。次いで、ステップＳ３９にて表示器３５のプログレスバーの表示が消灯され、本シーケンスが終了する。
【００５１】
このように、最終的に曝射しようとするＸ線量から、プログレスバーの表示状態によって、その期間を知ることができる。
【００５２】
（第２の実施形態）
次に、本発明の第２の実施形態について説明する。
【００５３】
前述した第１の実施形態では、Ｘ線管は何れも固定した状態で撮影を行っている例で説明したが、この第２の実施形態では、トモシンセシス撮影によるＸ線曝射期間の表示の例について説明する。
【００５４】
尚、この第２の実施形態に於いて、乳房撮影検査用Ｘ線診断装置の基本的な構成及び動作については、前述した第１の実施形態と同じであるので、説明の重複を避けるため、同一の部分には同一の参照番号を付して、その図示及び説明を省略し、異なる部分についてのみ説明する。
【００５５】
図８は、本発明の第２の実施形態に係る乳房撮影検査用Ｘ線診断装置を説明するための概略図である。
【００５６】
図８に於いて、トモシンセシス撮影では、アーム部１９を移動（回転）しながら、複数の位置でＸ線管１１（１１ａ、１１ｂ、１１ｃ）によりＸ線曝射を行う撮影である。そして、被検体はアーム部１９が移動する全ての位置で、Ｘ線の曝射が終了するまで静止していることが要求される。
【００５７】
図９（ａ）〜（ｃ）はトモシンセシス撮影によるプログレスバーの表示例であって、それぞれ上段はＸ線曝射期間を表示する表示器６１、下段はアーム部の移動期間を含む全体の表示を行う表示器６２を示している。これら表示器６１及び６２は、前述した第１の実施形態の表示器３５に相当するものであり、表示器３５ａ、３５ｂ、３５ｃの何れの位置に設けられるものであっても良い。
【００５８】
先ず、図８に示されるＸ線管１１ａの位置で撮影が開始される。例えば、図９（ａ）に示される例では、全体表示である表示器６２は２段目の表示である場合、Ｘ線曝射期間を表す表示器６１の表示は、この撮影位置に於いての曝射中の表示（例えば、５段目）となる。つまり、この位置での曝射が終了するまで、表示器６１の表示は０％から１００％まで変化する。
【００５９】
次いで、Ｘ線管１１ａの位置の撮影が終了してＸ線管１１ｂの位置にアーム部１９が移動すると、Ｘ線曝射を表す表示器６１の表示はこの移動期間中は一旦消灯される。しかしながら、表示器６２の表示は全体の撮影期間に対する表示であるので、プログレスバーの表示は消灯されずに継続的に表示される。
【００６０】
そして、Ｘ線管１１ｂの位置での撮影が開始されると、表示器６２のプログレスバーは図９（ａ）の状態から継続して表示（図９（ｂ）の場合５段目）される。一方、表示器６１は、この位置に於いてのＸ線曝射期間を表すものであるから、ここでも０％から１００％まで、プログレスバーの表示は変化する。尚、図９（ｂ）に於いては表示器６１のプログレスバーは７段目を表示している。
【００６１】
その後、Ｘ線管１１ｂの位置での撮影が終了すると、再度アーム部１９が移動してＸ線管１１ｃの位置での撮影となる。この移動期間中は、前記と同様、Ｘ線曝射を表す表示器６１のプログレスバーの表示は一旦消灯され、表示器６２のプログレスバーの表示は消灯されずに継続的に表示される。
【００６２】
そして、Ｘ線管１１ｃの位置での撮影が開始されると、表示器６２のプログレスバーは図９（ｂ）の状態から継続して表示（図９（ｃ）の場合１０段目）される。一方、表示器６１は、この位置に於いてのＸ線曝射期間を表すものであるから、ここでも０％から１００％まで、プログレスバーの表示は変化する。尚、図９（ｃ）に於いては表示器６１のプログレスバーは３段目を表示している。
【００６３】
このように、トモシンセシス撮影の場合、アーム部の移動中は、アーム部移動期間を含む全体表示のプログレスバー０％側よりだんだん延びてきて、全体の移動及び撮影が終了するときに枠一杯の表示（１００％）となる。そして、アーム部の移動中にＸ線の曝射が複数回行われるが、その度にＸ線曝射期間表示の枠にプログレスバーが表示され、曝射中に０％から１００％までバーが延びていき、所定の曝射期間に達する時点で枠一杯の長さとなる。最後のＸ線曝射が終了し、且つ、アーム部移動期間を含む全体表示のバーが最長となった後、両者のバーが消灯することで、術者、被検体は撮影が終了したことを知ることができる。
【００６４】
したがって、長時間の撮影となるトモシンセシス撮影の場合でも、被検体には、プログレスバーの表示によって、残り時間を予想することが容易にできるので、残り時間が不明であることによる不安感を除去して、乳房圧迫板による圧迫に苦痛を和らげることができる。
【００６５】
尚、前述した説明では、トモシンセシス撮影を３箇所として説明したが、勿論これに限られるものではなく、複数の箇所で可能なことはいうまでもない。
【００６６】
また、前述した第１及び第２の実施形態に於いては、表示器への表示をプログレスバーによる表示として説明したが、これに限られるものではない。
【００６７】
例えば、円形のメータ表示やスライドバー状の表示であっても、全体の期間のうち現在がどのくらいにあるかがわかる表示であれば良い。また、数字の表示によるカウントダウン表示であっても良いし、カラー表示や階調表示によりその色や濃度の変化によって経過期間を表示するものであっても良い。
【００６８】
更には、表示器３５と同様の機能を有する報知部４９により、例えば全体の期間に対する残り時間を発音（例えば、音声）により報知するもの等であっても良い。この場合、例えば、「１０秒前」、「９」、「８」、…のように音声により告知するものであったり、電子音の音量や間隔を変化させたりして告知するようなものであっても良い。
【００６９】
また、本発明は、乳房撮影検査用Ｘ線診断装置について説明したが、これに限られるものではなく、例えば断層撮影を行うＸ線医用診断治療装置等にも適用が可能である。
【００７０】
以上、本発明の実施形態について説明したが、本発明は上述した実施形態に限定されるものではなく、本発明の要旨を逸脱しない範囲で種々の変形実施が可能であるのは勿論である。
【００７１】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、或いは実施形態に示される構成要件が幾つか組合わされても、発明が解決しようとする課題の欄で述べた課題が解決でき、発明の効果の欄で述べられている効果が得られる場合には、この構成要件が削除された構成も発明として抽出され得る。
【図面の簡単な説明】
【００７２】
【図１】本発明の第１の実施形態に係る乳房撮影検査用Ｘ線診断装置の外観構成を示す斜視図である。
【図２】スタンド部２１に表示器を設けた例を示した図である。
【図３】本発明の第１の実施形態に係る乳房撮影検査用Ｘ線診断装置１０の電気系の主要部の構成を示すブロック図である。
【図４】本発明の第１の実施形態による乳房撮影検査用Ｘ線診断装置１０のＸ線の条件を術者が決定するマニュアル撮影を行う動作について説明するためのフローチャートである。
【図５】プログレスバーによる表示の例を示した図である。
【図６】本発明の第１の実施形態による乳房撮影検査用Ｘ線診断装置１０のプレ曝射により本曝射のＸ線条件を決定する場合の例について説明するためのフローチャートである。
【図７】本発明の第１の実施形態による乳房撮影検査用Ｘ線診断装置１０のプレ曝射せずに本曝射を行い、フォトタイマ４１ａにて曝射終了を制御する例について説明するためのフローチャートである。
【図８】本発明の第２の実施形態に係る乳房撮影検査用Ｘ線診断装置を説明するための概略図である。
【図９】トモシンセシス撮影によるプログレスバーの表示例を示した図である。
【符号の説明】
【００７３】
１０…乳房撮影検査用Ｘ線診断装置、１１、１１ａ、１１ｂ、１１ｃ…Ｘ線管、１２…線質調整フィルタ及び照射制限マスク、１３…フェイスガード、１４…乳房圧迫板、１６…移動グリッド、１７…Ｘ線検出器、１８…Ｃアーム上下動／回転微調整スイッチ、１９…アーム部、２０…乳房撮影検査用装置本体、２１…スタンド部、２２…支持部、２３…情報表示パネル、２４…サイドパネル、２５…圧迫フットペダル、３０…操作装置、３１…インバータ式Ｘ線高電圧装置、３２…撮影条件設定パネル、３５、３５ａ、３５ｂ、３５ｃ…表示器、４１…システム制御部、４１ａ…フォトタイマ、４２…Ｘ線制御部、４３…画像処理部、４５…フォトセンサ、４８…比較器、４９…報知部、５０…操作部、５１…Ｘ線曝射釦。
【図１】
2013066784.tif 000003
【図２】
2013066784.tif 000004
【図３】
2013066784.tif 000005
【図４】
2013066784.tif 000006
【図５】
2013066784.tif 000007
【図６】
2013066784.tif 000008
【図７】
2013066784.tif 000009
【図８】
2013066784.tif 000010
【図９】
2013066784.tif 000011